(57)【特許請求の範囲】
【請求項１】
上面及び前面が開口し底壁を有するハウジングと、該ハウジングの上側に装着されてカード挿入空間を形成する金属製のシェルと、前記ハウジングの底壁に形成されたカード排出機構収容領域に配置され、前記カード挿入空間に挿入されたカードを排出するためのカード排出機構とを備え、該カード排出機構が、前記カードの挿入方向及び排出方向に、前記カードとともに前記カード排出機構収容領域内をスライドするスライド部材と、該スライド部材を前記カードの排出方向に付勢するばね部材と、該ばね部材の付勢力に抗して前記スライド部材をカード挿入方向及び排出方向におけるロック位置にロックするロック手段と、前記スライド部材のスライド動作を案内するスライド部材案内手段とを備えたカードコネクタであって、
前記スライド部材案内手段が、前記スライド部材の下方部を案内する下方側案内部材と、下端が自由端となるように前記金属製のシェルの平面部から下方に折り曲げ形成され、前記スライド部材の上方部を案内する上方側案内部材とを備えることを特徴とするカードコネクタ。
【請求項２】
前記スライド部材が樹脂製であり、前記下方側案内部材が金属製であることを特徴とする請求項１記載のカードコネクタ。
【請求項３】
前記ハウジングが樹脂製であり、前記下方側案内部材が前記ハウジングの底壁にインサート成形された金属板で構成されることを特徴とする請求項２記載のカードコネクタ。
【発明の詳細な説明】
【技術分野】
【０００１】
本発明は、挿入されたカードを排出するためのカード排出機構を備えたカードコネクタに関する。
【背景技術】
【０００２】
従来、例えば、メモリカードやＳＩＭ（加入者識別モジュール）カードなどのカードが挿入されるカードコネクタなどにおいては、挿入されたカードを排出するためのカード排出機構を備えているのが一般的である。
従来のこの種のカードコネクタとして、例えば、図２２に示すものが知られている（特許文献１参照）。
【０００３】
図２２に示すカードコネクタ１０１は、上面及び前面が開口された合成樹脂製のハウジング１１０と、ハウジング１１０の上側に装着されてカード（図示せず）の装着空間を形成する金属製のシェル１２０とを備えている。そして、ハウジング１１０及びシェル１２０が組み合わされてカードの挿入口１１１を形成している。
そして、ハウジング１１０の底壁１１０ａには、カードに接触する複数の電気コンタクト１１２が取付けられると共に、幅方向（図２２における左右方向）の一端部にカード排出機構収容領域１１３が形成されている。カード排出機構収容領域１１３は、ハウジング１１０の側壁１１０ｃと底壁１１０ａから上方に突出するガイド壁１１０ｂとの間に形成される。そして、このカード排出機構収容領域１１３には、挿入されたカードを排出するためのカード排出機構１３０が収容されている。
【０００４】
カード排出機構１３０は、スライド部材１３１と、排出ばね１３２と、排出ばね１３２の付勢力に抗してスライド部材１３１のロック機構を構成するハートカム溝１３３及びカムロッド１３４とを備えている。
スライド部材１３１は、樹脂製であり、カードの挿入方向（後方向）及び排出方向（前方向）に、カードとともにカード排出機構収容領域１１３内をスライドする。このスライド部材１３１のスライド動作の際に、スライド部材１３１の一側壁（図２２における左側の側壁）における下側部がガイド壁１１０ｂに沿って摺動する。また、カード排出機構収容領域１１３には、金属板１１４が設けられており、スライド部材１３１はこの金属板１１４上を摺動する。
【０００５】
また、排出ばね１３２は、ハウジング１１０の後壁とスライド部材１３１の後端との間に設けられ、スライド部材１３１をカードの排出方向（前方向）に付勢する。
更に、ハートカム溝１３３はスライド部材１３１の上面に形成されている。カムロッド１３４は、一端がハウジング１１０の後壁に回動可能に取り付けられ、他端がハートカム溝１３３に嵌合する。これにより、排出ばね１３２の付勢力に抗してスライド部材１３１をカード挿入方向（後方向）及び排出方向（前方向）におけるロック位置にロックする。
【先行技術文献】
【特許文献】
【０００６】
【特許文献１】特開２０１１−３４８３２号公報
【発明の概要】
【発明が解決しようとする課題】
【０００７】
しかしながら、この従来の図２２に示したカードコネクタ１０１にあっては、以下の問題点があった。
即ち、スライド部材１３１のスライド動作の際に、スライド部材１３１の一側壁における下側部がハウジング１１０の底壁１１０ａから突出するガイド壁１１０ｂに沿って摺動する。これにより、スライド部材１３１のスライド動作が案内され、円滑なスライド部材１３１のスライド動作が保証される。
【０００８】
ここで、カードコネクタ１０１を例えばフレキシブル回路基板（ＦＰＣ）に実装した場合には、カードを挿入した際に電気コンタクト１１２の弾性力により、ハウジング１１０の底壁１１０ａが下側に凸となるように反ってしまうことがある。ハウジング１１０の底壁１１０ａが下側に凸となるように反ると、底壁１１０ａに設けられたガイド壁１１０ｂが下方に変位し、スライド部材１３１の一側壁から外れてしまうことがある。すると、ガイド壁１１０ｂがスライド部材１３１のスライド動作を案内することができず、スライド部材１３１のスライド動作を円滑に行うことができない、といった問題がある。
【０００９】
従って、本発明は、上述の問題点を解決するためになされたものであり、その目的は、ハウジングの底壁が下側に凸になるように反ったり、あるいはハウジングの上側に装着されたシェルが上側に凸になるように反ったりしても、スライド部材のスライド動作を適切に案内することができるカードコネクタを提供することにある。
【課題を解決するための手段】
【００１０】
上記目的を達成するために、本発明のある態様に係るカードコネクタは、上面及び前面が開口し底壁を有するハウジングと、該ハウジングの上側に装着されてカード挿入空間を形成する金属製のシェルと、前記ハウジングの底壁に形成されたカード排出機構収容領域に配置され、前記カード挿入空間に挿入されたカードを排出するためのカード排出機構とを備え、該カード排出機構が、前記カードの挿入方向及び排出方向に、前記カードとともに前記カード排出機構収容領域内をスライドするスライド部材と、該スライド部材を前記カードの排出方向に付勢するばね部材と、該ばね部材の付勢力に抗して前記スライド部材をカード挿入方向及び排出方向におけるロック位置にロックするロック手段と、前記スライド部材のスライド動作を案内するスライド部材案内手段とを備えたカードコネクタであって、前記スライド部材案内手段が、前記スライド部材の下方部を案内する下方側案内部材と、下端が自由端となるように前記金属製のシェルの平面部から下方に折り曲げ形成され、前記スライド部材の上方部を案内する上方側案内部材とを備えることを特徴としている。
【００１１】
また、このカードコネクタにおいて、前記スライド部材が樹脂製であり、前記下方側案内部材が金属製であることが好ましい。
更に、このカードコネクタにおいて、前記ハウジングが樹脂製であり、前記下方側案内部材が前記ハウジングの底壁にインサート成形された金属板で構成されることが好ましい。
【発明の効果】
【００１２】
本発明に係るカードコネクタによれば、スライド部材案内手段が、スライド部材の下方部を案内する下方側案内部材と、スライド部材の上方部を案内する上方側案内部材とを備える。このため、ハウジングの底壁が下側に凸となるように反って、底壁に設けられた下方側案内部材が下方に変位し、スライド部材の下方部から外れてしまった場合であっても、シェルに設けられた上方側案内部材がスライド部材の上方部を案内する。これにより、ハウジングの底壁が下側に凸になるように反ってもスライド部材のスライド動作を適切に案内することができる。
【００１３】
一方、ハウジングの上側に装着されたシェルが上側に凸になるように反って、シェルに設けられた上方側案内部材が上方に変位し、スライド部材の上方部から外れてしまった場合であっても、ハウジングの底壁に設けられた下方側案内部材がスライド部材の下方部を案内する。このため、ハウジングの上側に装着されたシェルが上側に凸になるように反ってもスライド部材のスライド動作を適切に案内することができる。
【図面の簡単な説明】
【００１４】
【図１】本発明に係るカードコネクタの実施形態の斜視図である。
【図２】図１に示すカードコネクタにおいて、カードが排出された状態の平面図である。但し、図２において、カードは記載していない。
【図３】図２に示すカードコネクタからシェルを取り外した状態の平面図である。
【図４】図２における４−４線に沿う断面図である。
【図５】図４における矢印５で示す部分の拡大図である。
【図６】図２における６−６線に沿う断面図である。
【図７】図６における矢印７で示す部分の拡大図である。
【図８】図１に示すカードコネクタにおいて、カードが最も後側にまで挿入された状態の平面図である。
【図９】図８に示すカードコネクタからシェルを取り外した状態の平面図である。
【図１０】図８における１０−１０線に沿う断面図である。
【図１１】図１０における矢印１１で示す部分の拡大図である。
【図１２】図８における１２−１２線に沿う断面図である。
【図１３】図１２における矢印１３で示す部分の拡大図である。
【図１４】図１に示すカードコネクタにおいて、カードの挿入が完了した状態の平面図である。
【図１５】図１４に示すカードコネクタからシェルを取り外した状態の平面図である。
【図１６】図１４における１６−１６線に沿う断面図である。
【図１７】図１６における矢印１７で示す部分の拡大図である。
【図１８】図１４における１８−１８線に沿う断面図である。
【図１９】図１８における矢印１９で示す部分の拡大図である。
【図２０】ハウジングの底壁が下側に凸に反った状態の断面図であり、（Ａ）は下方側案内部材を切断した断面図、（Ｂ）は上方側案内部材を切断した断面図である。
【図２１】シェルが上側に凸に反った状態の断面図であり、（Ａ）は下方側案内部材を切断した断面図、（Ｂ）は上方側案内部材を切断した断面図である。
【図２２】従来例のカードコネクタの分解斜視図である。
【発明を実施するための形態】
【００１５】
以下、本発明の実施の形態を図面を参照して説明する。
図１に示すカードコネクタ１は、図示しない回路基板上に実装され、メモリカード、ＳＩＭカード等などのカードＣ（図３参照）が挿入及び抜去される。カードＣがカードコネクタ１に挿入されることにより、カードＣと回路基板との電気的接続が達成される。
カードコネクタ１は、図１乃至図３に示すように、合成樹脂製のハウジング１０と、金属製の複数のコンタクト１９と、金属製のシェル２０と、カード排出機構３０とを備えている。
【００１６】
ここで、ハウジング１０は、図１乃至図３に示すように、幅方向（図３における左右方向）及び前後方向（図３における下方を前方、上方を後方）に延びる略矩形状に形成された底壁１１を備えている。また、ハウジング１０は、底壁１１の幅方向両縁から立ち上がる側壁１２と、底壁１１の後端から立ち上がる後壁１３と、底壁１１の前端であって幅方向左端から立ち上がる前端壁１４とを備えている。そして、ハウジング１０は、上面及び前面が開口している。ハウジング１０には、図３に示すように、前面からカードＣが挿入される。また、ハウジング１０の底壁１１の幅方向左端近傍には、図３に示すように、後壁１３とハウジング１０の前端壁１４との間に形成されるカード排出機構収容領域１６が形成されている。ハウジング１０は、合成樹脂を成形することによって形成される。
【００１７】
また、複数の電気コンタクト１９は、図３に示すように、ハウジング１０の幅方向に沿って底壁１１に２列状に配置されている。各コンタクト１９は、カードＣの裏面に設けられた導電パッドに接触するとともに、回路基板上に接続される。各コンタクト１９は、導電性金属板を打抜き及び曲げ加工することによって形成される。
また、シェル２０は、図１に示すように、ハウジング１０の上側に装着されてカード挿入空間１５を形成する。シェル２０は、図１及び図２に示すように、ハウジング１０の上面を覆う平面部２１と、ハウジング１０の幅方向両側面を覆う１対の側面部２３と、ハウジング１０の後面を覆う後面部２４とを備えている。平面部２１は、ハウジング１０の幅方向及び前後方向に延びる。各側面部２３は、平面部２１の幅方向各側面から下方に延びる。また、後面部２４は、平面部２１の前後方向後面から下方に延びている。シェル２０は、導電性金属板を打抜き及び曲げ加工することによって形成される。
【００１８】
また、カード排出機構３０は、図３に示すように、ハウジング１０の底壁１１に形成されたカード排出機構収容領域１６に配置され、カード挿入空間１５に挿入されたカードＣを排出する。このカード排出機構３０は、いわゆるプッシュ・プッシュ型のイジェクト機構であり、カードＣの挿入方向（前から後ろ向きの方向）及び排出方向（後ろから前向きの方向）にスライドするスライド部材３１を備えている。また、カード排出機構３０は、スライド部材３１をカードＣの排出方向に付勢するばね部材３６と、ばね部材３６の付勢力に抗してスライド部材３１をカードＣの挿入方向及び排出方向のロック位置にロックさせるロック手段３９とを備えている。
【００１９】
ここで、スライド部材３１は、合成樹脂を成形することによって形成されるものであり、カードＣとともにカード排出機構収容領域１６内をカード挿入方向及び排出方向をスライドする。このスライド部材３１は、カード挿入方向及び排出方向における図２乃至図７に示すカード排出位置、図８乃至図１３に示すカード最後端位置、図１４乃至図１９に示すカード嵌合位置、前記カード最後端位置、及び前記カード排出位置の順にスライド移動する。スライド部材３１の後端部には、図３に示すように、幅方向内方に向けて延びる、カードＣに当接するカード当接部３２が設けられている。また、スライド部材３１の前端部であってカード当接部３２よりも幅方向外側には、図３に示すように、後方に向けて延びるばね部材支持ピン３５が設けられている。
【００２０】
また、ばね部材３６は、図３に示すように、ハウジング１０の後壁１３に設けられたばね部材支持ピン２８と、スライド部材３１に設けられたばね部材支持ピン３５とによって支持される圧縮コイルばねで構成される。ばね部材３６は、スライド部材３１をカード排出方向に付勢する。
また、ロック手段３９は、図３に示すように、スライド部材３１の上面に形成されたハートカム溝３７と、ハウジング１０の前端部１４に一端が回動可能に支持され、他端がハートカム溝３７に嵌合するカムピン３８とからなる。ロック手段３９は、ばね部材３６の付勢力に抗してスライド部材３１をカードＣの挿入方向及び排出方向のロック位置にロックさせる。この「ロック位置」は、図１５に示すスライド部材３１のカード嵌合位置である。
【００２１】
また、カード排出機構３０は、図６、図７、図１２、図１３、図１８及び図１９に示すように、スライド部材３１のスライド動作を案内するスライド部材案内手段４０を備えている。
このスライド部材案内手段４０は、ハウジング１０の底壁１１に設けられた、スライド部材３１の下方部を案内する下方側案内部材１７と、シェル２０に設けられた、スライド部材３１の上方部を案内する上方側案内部材２２とを備えている。
【００２２】
具体的に述べると、下方側案内部材１７は、図４、図５、図１０、図１１、図１６、及び図１７に示すように、ハウジング１０の底壁１１にインサート成形された金属板で構成され、下方案内部材１７の前後方向前方部には、前後方向に延びる切欠１８が形成されている。この切欠１８に、図４、図５、図１０、図１１、図１６、及び図１７に示すように、スライド部材３１の前端部下面から下方に突出する突出部３３が入り込み、突出部３３の外側面が切欠１８の剪断縁１８ａに沿って案内される。
【００２３】
また、上方側案内部材２２は、図２、図６、図７、図８、図１２、図１３、図１４、図１８、及び図１９に示すように、シェル２０の平面部２１から下方に折り曲げ形成されている。一方、スライド部材３１の上面には、前方部から後端部に至るまで延びる切欠３４が形成されている。この切欠３４には、図６及び図７に示すように、上方側案内部材２２が入り込み、切欠３４の側面が上方側案内部材２２に沿って案内される。
【００２４】
次に、カード排出機構３０の動作について、図２乃至図１９を参照して説明する。
まず、カードコネクタ１にカードＣが挿入されていない状態では、スライド部材３１は図２乃至図７に示すカード排出位置に位置する。この際には、スライド部材３１は、ばね部材３６によってカード排出方向（前方向）に付勢されてハウジング１０の前端壁１４に当接している。カムピン３８の他端部は、ハートカム溝３７の後方部に位置する。
【００２５】
この際に、スライド部材３１の突出部３３は、図４及び図５に示すように、下方案内部材１７の切欠１８に入り込んでおり、その外側面が切欠１８の剪断縁１８ａに接している。また、スライド部材３１の切欠３４には、図６及び図７に示すように、上方側案内部材２２が入り込み、切欠３４の側面が上方側案内部材２２に接している。
【００２６】
このカードコネクタ１にカードＣが挿入されていない状態で、図８及び図９に示すように、カードＣをカード挿入方向（後方向）に挿入してカード挿入空間１５に挿入する。すると、カードＣの先端がスライド部材３１のカード当接部３２に当接し、カードＣとともにスライド部材３１がカード挿入方向にスライドする。そして、スライド部材３１がハウジング１０の後壁１３に当接し、図８乃至図１３に示すカード最後端位置に至る。カムピン３８の他端部は、ハートカム溝３７の前端部に位置する。
【００２７】
この際に、スライド部材３１の突出部３３は、図１０及び図１１に示すように、その外側面が下方案内部材１７の切欠１８内を切欠１８の剪断縁１８ａに沿いつつ案内される。また、スライド部材３１の切欠３４は、図１２及び図１３に示すように、その側面が上方側案内部材２２に沿いつつ案内される。
そして、スライド部材３１が図８乃至図１３に示すカード最後端位置にある状態からカードＣの挿入操作をやめると、ばね部材３６の付勢力によりスライド部材３１がカード排出方向に付勢され、図１４乃至図１９に示すカード嵌合位置に至る。カムピン３８の他端部は、ハートカム溝３７のロック位置に位置する。これにより、スライド部材３１は、カードＣの挿入方向及び排出方向のロック位置にロックされる。この状態がカードＣの挿入が完了した状態である。
【００２８】
この際に、スライド部材３１の突出部３３は、図１６及び図１７に示すように、その外側面が下方案内部材１７の切欠１８内を切欠１８の剪断縁１８ａに沿いつつ案内される。また、スライド部材３１の切欠３４は、図１８及び図１９に示すように、その側面が上方側案内部材２２に沿いつつ案内される。
そして、スライド部材３１が図１４乃至図１９に示すカード嵌合位置にあるときには、カードＣの裏面に形成された導電パッドが電気コンタクト１９に接触し、カードＣと回路基板との電気的接続が達成されている。
【００２９】
次に、カード挿入空間１５に挿入されたカードＣを排出するときには、スライド部材３１が図１４乃至図１９に示すカード嵌合位置にある状態から、カードＣをカード挿入方向に押圧する。すると、カムピン３８の他端部がハートカム溝３７のロック位置から外れ、スライド部材３１がハウジング１０の後壁１３に当接し、図８乃至図１３に示すカード最後端位置に至る。
【００３０】
この際に、スライド部材３１の突出部３３は、図１０及び図１１に示すように、その外側面が下方案内部材１７の切欠１８内を切欠１８の剪断縁１８ａに沿いつつ案内される。また、スライド部材３１の切欠３４は、図１２及び図１３に示すように、その側面が上方側案内部材２２に沿いつつ案内される。
そして、スライド部材３１が図８乃至図１３に示すカード最後端位置にある状態からカードＣの押圧操作をやめると、ばね部材３６の付勢力によりスライド部材３１がカード排出方向に付勢され、スライド部材３１が図２乃至図７に示すカード排出位置に至る。これにより、カードＣは、カード挿入空間１５から排出される。
【００３１】
この際に、スライド部材３１の突出部３３は、図４及び図５に示すように、その外側面が下方案内部材１７の切欠１８内を切欠１８の剪断縁１８ａに沿いつつ案内される。また、スライド部材３１の切欠３４は、図６及び図７に示すように、その側面が上方側案内部材２２に沿いつつ案内される。
【００３２】
以上、カード排出機構３０の動作について説明したが、例えば、カードコネクタ１０１をフレキシブル回路基板（ＦＰＣ）などの可撓性のある基板などに実装する場合がある。この場合には、カードＣがカード挿入空間１５内にあるときに、図２０（Ａ），（Ｂ）に示すように、電気コンタクト１９の弾性力により、ハウジング１０の底壁１１が下側に凸となるように反ってしまうことがある。
【００３３】
この場合、図２０（Ａ）に示すように、ハウジング１０の底壁１１に設けられた下方側案内部材１７が下方に変位し、スライド部材３１の突出部３３が下方側案内部材１７の切欠１８から外れてしまうことがある。この場合であっても、図２０（Ｂ）に示すように、シェル２０に設けられた上方側案内部材２２がスライド部材３１の切欠３４を案内する。この上方側案内部材２２の案内機能は、スライド部材３１が図２乃至図７に示すカード排出位置、図８乃至図１３に示すカード最後端位置、図１４乃至図１９に示すカード嵌合位置、前記カード最後端位置、及び前記カード排出位置の順にスライド移動するいかなる段階でも保証される。従って、ハウジング１０の底壁１１が下側に凸になるように反ってもスライド部材３１のスライド動作を適切に案内することができる。
【００３４】
一方、カードコネクタ１の実装形態によっては、図２１（Ａ）,（Ｂ）に示すように、ハウジング１０の上側に装着されたシェル２０が上側に凸になるように反ってしまうこともある。この場合には、シェル２０に設けられた上方側案内部材２２が図２１（Ｂ）に示すように上方に変位する。これにより、上方側案内部材２２の切欠３４に対する案内代が小さくなる。また、上方側案内部材２２の上方への変位量が大きい場合には、上方案内部材２２がスライド部材３１の切欠３４から外れてしまうこともあり得る。この場合であっても、図２１（Ａ）に示すように、ハウジング１０の底壁１１に設けられた下方側案内部材１７の切欠１８がスライド部材３１の突出部３３を案内する。この下方側案内部材１７の案内機能は、スライド部材３１が図２乃至図７に示すカード排出位置、図８乃至図１３に示すカード最後端位置、図１４乃至図１９に示すカード嵌合位置、前記カード最後端位置、及び前記カード排出位置の順にスライド移動するいかなる段階でも保証される。従って、ハウジング１０の上側に装着されたシェル２０が上側に凸になるように反ってもスライド部材３１のスライド動作を適切に案内することができる。
【００３５】
また、カードコネクタ１においては、スライド部材３１が樹脂製であり、下方側案内部材１７及び上方側案内部材２２が金属製である。このため、スライド部材３１と下方側案内部材１７及び上方側案内部材２２との摩擦が少なく、スライド部材３１の摺動抵抗が小さい。このため、カードＣの挿入及び排出を円滑に行うことができる。
【００３６】
ここで、従来の図２２に示したカードコネクタ１０１にあっては、スライド部材１３１が、樹脂製であり、カードの挿入方向及び排出方向に、カードとともにカード排出機構収容領域１１３内をスライドする。このスライド部材１３１のスライド動作の際に、スライド部材１３１は金属板１１４上を摺動するので摩擦が少ないが、その一方でスライド部材１３１の一側壁が樹脂製のガイド壁１１０ｂに沿って摺動する。樹脂製のスライド部材１３１が樹脂製のガイド壁１１０ｂに沿って摺動すると、カードの多数回挿抜を行う場合、スライド部材１３１とガイド壁１１０ｂとが凝着摩耗を起こすおそれがある。スライド部材１３１とガイド壁１１０ｂとが凝着摩耗を起こすと、摺動抵抗が大きくなり、カードの挿入及び排出を円滑に行うことができない。
【００３７】
これに対して、本実施形態のカードコネクタ１の場合には、上述したように、スライド部材３１が樹脂製であり、下方側案内部材１７及び上方側案内部材２２が金属製であるので、凝着摩耗のおそれは極めて小さい。
また、本実施形態のカードコネクタ１の場合には、シェル２０が金属製であり、ハウジング１０が樹脂製であり、下方側案内部材１７がハウジング１０の底壁１１にインサート成形された金属板で構成される。また、上方側案内部材２２が金属製のシェル２０から下方に折り曲げ形成されている。これにより、金属製の下方側案内部材１７及び金属製の上方側案内部材２２を、カードコネクタ１に簡単な構成で適用することができる。また、その製造も容易なものとすることができる。
【００３８】
以上、本発明の実施形態について説明してきたが、本発明はこれに限定されずに種々の変更、改良を行うことができる。
例えば、下方側案内部材１７は、スライド部材３１の下方部を案内するものであればよく、必ずしも、その下方側案内部材１７に切欠１８を設けてスライド部材３１の下面から下方に突出する突出部３３を案内するものでなくてもよい。
【００３９】
また、下方側案内部材１７は、ハウジング１０の底壁１１に設けられる必要もなく、また、金属製である必要は必ずしもない。
更に、下方側案内部材１７はハウジング１０の底壁１１にインサート成形された金属板で構成される必要は必ずしもない。
また、上方側案内部材２２は、スライド部材３１の上方部を案内するものであればよく、スライド部材３１の上面に前方部から後端部に至るまで延びる切欠３４を形成し、この切欠３４に上方側案内部材２２を入れ込んで案内する必要は必ずしもない。
【符号の説明】
【００４１】
１  カードコネクタ
１０  ハウジング
１１  底壁
１５  カード挿入空間
１６  カード排出機構収容領域
１７  下方側案内部材
２０  シェル
２２  上方側案内部材
３０  カード排出機構
３１  スライド部材
３６  ばね部材
３９  ロック手段
４０  スライド部材案内手段
Ｃ  カード
【要約】
【課題】ハウジングの底壁が下側に凸になるように反ったり、あるいはハウジングの上側に装着されたシェルが上側に凸になるように反ったりしても、スライド部材のスライド動作を適切に案内することができるカードコネクタを提供する。
【解決手段】カードコネクタ１は、ハウジング１０の底壁１１に形成されたカード排出機構収容領域１６に配置され、カード挿入空間１５に挿入されたカードＣを排出するためのカード排出機構３０を備えている。カード排出機構３０は、カードＣの挿入方向及び排出方向に、カードＣとともにカード排出機構収容領域１６内をスライドするスライド部材３１と、スライド部材３１のスライド動作を案内するスライド部材案内手段４０とを備えている。スライド部材案内手段４０は、スライド部材３１の下方部を案内する下方側案内部材２７と、スライド部材３１の上方部を案内する上方側案内部材２２とを備えている。
【選択図】図２１【図１】
0005432342.tif 000002
【図２】
0005432342.tif 000003
【図３】
0005432342.tif 000004
【図４】
0005432342.tif 000005
【図５】
0005432342.tif 000006
【図６】
0005432342.tif 000007
【図７】
0005432342.tif 000008
【図８】
0005432342.tif 000009
【図９】
0005432342.tif 000010
【図１０】
0005432342.tif 000011
【図１１】
0005432342.tif 000012
【図１２】
0005432342.tif 000013
【図１３】
0005432342.tif 000014
【図１４】
0005432342.tif 000015
【図１５】
0005432342.tif 000016
【図１６】
0005432342.tif 000017
【図１７】
0005432342.tif 000018
【図１８】
0005432342.tif 000019
【図１９】
0005432342.tif 000020
【図２０】
0005432342.tif 000021
【図２１】
0005432342.tif 000022
【図２２】
0005432342.tif 000023